(57)【要約】【課題】  この発明は、チェーン本体に蛍光発光表示体がチェーン外形部から出っ張らない様に取付けする事で、チェーン収納時に破損しない夜間認識表示付チェーンを開発・提供する事にある。【解決手段】  そこで、この問題を解決する為に、連接するチェーンの一箇所、又は、複数箇所に蛍光シール等の蛍光発光体を設け、該蛍光発光体はチェーン本体輪部の中央部に薄鋼板等の取付部材を溶着して設け、且つ、該取付部材の表裏両面部に貼付又はビス止め等の係止部材により固着して設け、且つ、該蛍光発光体及び取付部材の大きさは、板厚寸法がチェーン本体の線径より薄く、幅寸法がチェーン本体同士を連接した隙間部に緩衝しない所定寸法を有するものである。【選択図】  図１
2005083157.tif 000002
【特許請求の範囲】
【請求項１】
駐車場や公共施設等の無断駐車防止及び侵入防止装置（Ｓ）等に使用するチェーン（１）において、各チェーン本体（１ａ）輪部の中央部に設けた薄鋼板等の取付部材（３）であって、該取付部材（３）の大きさは、板厚寸法（ｔ）がチェーン本体（１ａ）の線径（ｄ）寸法より薄く、幅寸法がチェーン本体同士を連接した隙間部（Ｌ）に緩衝しない所定寸法（ｌ）を有する取付部材（３）をそれぞれ溶着して設け、該取付部材の片面、或いは表裏両面に蛍光シール等の蛍光発光体（２）を貼付又はビス止め等の係止手段により固着した事を特徴とする夜間認識表示付チェーン。
【請求項２】
連接するチェーン（１）の一箇所、又は、複数箇所に蛍光シール等の蛍光発光体（２）を設けるに際し、チェーン本体（１ａ）輪部の中央部に、チェーン形状に適合した上下二箇所に半円形状の係止用切欠部（４ａ）及び中央部に取付穴（４ｂ）を有する表裏一対型の２枚の取付部材（４）をリベット等の係止部材（５）で圧着取り付けし、該取付部材（４）の表裏両面部に蛍光発光体（２）を貼付又はビス止め等の係止手段により固着して設けた事を特徴とする夜間認識表示付チェーン。
【発明の詳細な説明】
【技術分野】
【０００１】
この発明は、無断駐車及び侵入防止装置等に使用する夜間認識表示付チェーンに関するものである。
【背景技術】
【０００２】
従来、無断駐車及び侵入防止装置には、チェーンを張設したものが多く見受けられるが、大抵は、見た目に雑なもので有り、開閉状態の際にもチェーンがポールと平行に落下しておらず、ポール付近に斜め方向に垂れ下がった状態にあり、このチェーンを車輪で轢くとポールが引っ張られて曲がってしまうという欠点が有り、その後、上記の問題を解決する為に、巻き取り収納型の無断駐車及び侵入防止装置が発明された。（例えば参考文献１を参照。）
【特許文献１】特願２００３−２７１４１７
【０００３】
そして、該収納型の無断駐車及び侵入防止装置のチェーン中央部には、夜間、人がチェーンに足を引っ掛けて転倒しない様に、侵入防止用の標識を設置していた。しかし、該侵入防止用の標識も、入出する毎にチェーンから取り外したり、取り付けたりする必要が有り、新たな改善策が要求されていた。
【０００４】
しかしながら、現状、既設の蛍光発光表示体は、サイズ的に大き過ぎて、譬え取り付いたとしても、チェーンから出っ張っていて、収納ケースに収納する際、破損する等の問題があり、新たな対応策が求められている。
【発明の開示】
【発明が解決しようとする課題】
【０００５】
そこで、この発明は、上記の問題を解決する為、チェーン本体に蛍光発光表示体がチェーン外形部から出っ張らない様に取付けする事で、チェーン収納時に破損しない夜間認識表示付チェーンを開発・提供する事にある。
【課題を解決するための手段】
【０００６】
そこで、この問題を解決する為に、連接するチェーンの一箇所、又は、複数箇所に蛍光シール等の蛍光発光体を設け、該蛍光発光体はチェーン本体輪部の中央部に、薄鋼板等の取付部材を溶着して設け、且つ、該取付部材の表裏両面部に貼付、又はビス止め等の係止部材により設け、且つ、該蛍光発光体及び取付部材の大きさは、板厚寸法がチェーン本体の線径より薄く、幅寸法がチェーン本体同士を、連接した隙間部に緩衝しない所定寸法を有するものである。
【発明の効果】
【０００７】
無断駐車及び侵入防止装置等に使用するチェーンの一箇所、又は、複数箇所に蛍光シール等の蛍光発光体を設ける事で、夜間等暗い所でも歩行者が足を引っ掛けて転倒する等の危険性が解消される為、安全上の効果を奏する。
【０００８】
又、この発明はチェーン本体の線径寸法より薄く、且つ、幅寸法がチェーン本体同士を連接した隙間部に緩衝しない所定寸法に設ける事で、チェーン収納時に、いちいち取り外す必要が無い為、煩わしさが解消され、作業性が向上する等、極めて有益なる効果を奏するものである。
【発明を実施するための最良の形態】
【０００９】
そこで、この発明の最良の形態は、連接する全てのチェーン本体に蛍光発光体を設けることが望ましいが、現実問題としてコストアップにも繋がる為、チェーンの形態が判断可能な１ｍ間隔程度に取り付ける事が望ましい。
【実施例１】
【００１０】
そこで、この発明の一実施例を図１に従って詳述すると、各チェーン本体（１ａ）輪部の中央部に設けた薄鋼板等の取付部材（３）であって、該取付部材（３）の大きさは、板厚寸法（ｔ）がチェーン本体（１ａ）の線径（ｄ）寸法より薄く、幅寸法がチェーン本体同士を連接した隙間部（Ｌ）に緩衝しない所定寸法（ｌ）を有する取付部材（３）をそれぞれ溶着して設け、該取付部材の片面、或いは表裏両面に蛍光シール等の蛍光発光体（２）を貼付又はビス止め等の係止手段により固着した事を特徴とする夜間認識表示付チェーンから構成される。
【００１１】
次に、蛍光発光体（２）の取付要領について説明すると、チェーン本体（１ａ）の中央部に矩形状の薄鋼板等の取付部材（３）を溶着し、且つ、該取付部材（３）の両面に蛍光シール等の蛍光発光体（２）を貼付、又は、ビス止め等の係止部材により取り付ける。尚、ビス止めする際は、予め、取付部材（３）に取り付け用のビスサイズに合わせたタップ穴を明けておき、出っ張りの無い皿ビスで蛍光発光体（２）を固定する。
【００１２】
又、蛍光発光体（２）の取付間隔については、上記でも述べた様に、経済性・作業性を考慮した１ｍ間隔程度が望ましいが、必要に応じて減らしたり、増やしたりする事も可能である。
【実施例２】
【００１３】
又、実施例２を図３に従って詳述すると、連接するチェーン（１）の一箇所、又は、複数箇所に蛍光シール等の蛍光発光体（２）を設けるに際し、チェーン本体（１ａ）輪部の中央部に、チェーン形状に適合した上下二箇所に半円形状の係止用切欠部（４ａ）及び中央部に取付穴（４ｂ）を有する表裏一対型の2枚の取付部材（４）をリベット等の係止部材（５）で圧着取り付けし、該取付部材（４）の表裏両面部に蛍光発光体（２）を貼付又はビス止め等の係止手段により固着して設けた事を特徴とする夜間認識表示付チェーンから構成される。
【００１４】
次に、蛍光発光体（２）の取付要領について説明すると、チェーン本体（１ａ）の中央部に、チェーン形状に適合した上下二箇所に半円形状の係止用切欠部（４ａ）及び中央部に取付穴（４ｂ）を有する表裏一対型の2枚の取付部材（４）をリベット等の係止部材により抱き合わせて固着し、且つ、該取付部材（４）の両面に蛍光シール等の蛍光発光体（２）を貼付、又は、ビス止め等の係止部材により取り付ける。尚、ビス止めする際は、上記同様、予め、取付部材（３）に取り付け用のビスサイズに合わせたタップ穴を明けておき、出っ張りの無い皿ビスで蛍光発光体（２）を固定する。
【産業上の利用可能性】
【００１５】
この発明は、無断駐車及び侵入防止装置等に使用するチェーン本体の中央部に蛍光発光体（２）を設ける事で、安全性・作業性が向上し、更に、チェーンを使用する広範囲の分野において同様な効果を寄与する点で、産業上の利用可能性を有する。
【図面の簡単な説明】
【００１６】
【図１】この発明の一実施例を示し、（Ａ）はチェーンの一部欠截正面図で、（Ｂ）は（Ａ）のａ部拡大詳細図で、（Ｃ）は（Ｂ）のｂ−ｂ矢視断面図である。
【図２】この発明の使用例を示し、正面図である。
【図３】この発明のその他の実施例を示し、（Ａ）はチェーンの一部欠截正面図で、（Ｂ）は（Ａ）のａ部拡大詳細図で、（Ｃ）は（Ｂ）のｂ−ｂ矢視断面図である。
【図４】従来例を示し、正面図である。
【符号の説明】
【００１７】
１  チェーン
１ａ  チェーン本体
２  蛍光発光体
３  取付部材
４  取付部材
４ａ  半円状の係止用切欠部
４ｂ  取付穴
５  リベット等の係止部材
Ｓ  無断駐車及び侵入防止装置
ｄ  線径寸法
ｔ  板厚寸法
Ｌ  隙間部
ｌ  所定寸法
【図１】
2005083157.tif 000003
【図２】
2005083157.tif 000004
【図３】
2005083157.tif 000005
【図４】
2005083157.tif 000006